Podtech/llm-jp-corpus-v4-ja_patent huggingface dataset:
【手続補正書】
【提出日】令和1年9月20日(2019.9.20)
【手続補正１】
【補正対象書類名】明細書
【補正対象項目名】００６０
【補正方法】変更
【補正の内容】
【００６０】
上記空間部５２には、カーボンフィルター等の濾過材が配置されており、筒体５０の上部には流出孔５５が設けられている。
このため、濾過器１２の流入孔５４から流入した水溶液は、空間部５２を下方に移動するが、このときカーボンフルターにより濾過が行われ、主に次亜塩素酸、塩素等の塩素系物質が除去される。さらに水溶液は、空間部５２から孔部５１を通過して筒体５０の内部へと移動し、さらに筒体５０内を上昇して流出孔５５から排出される。
【手続補正２】
【補正対象書類名】明細書
【補正対象項目名】００６２
【補正方法】変更
【補正の内容】
【００６２】
また、電解槽４の排出口３２には、二方向に枝分れした流路が接続され、それぞれの流路には第１の切替弁５６及び第２の切替弁５８が取り付けられている。
この第１の切替弁５６の先は濾過器１２の流入孔５４に接続され、その流出孔５５の先は流路を介して筐体１８の吐出口２２に接続されている。また、第２の切替弁５８の先は流路を介し、そのまま筐体１８の吐出口２２に接続されている。
このため、第１及び第２の切替弁の操作により、電解槽４からの水溶液の流路について、濾過器１２を通過させる流路と、これを迂回するバイパス流路とを選択することができる。
【手続補正３】
【補正対象書類名】明細書
【補正対象項目名】００７６
【補正方法】変更
【補正の内容】
【００７６】
上記電解槽４内で電気分解が行われている間も、ポンプ１４は稼働しており、電解槽４内には注入口３０から新たな水が供給され、また同量の水（水溶液）が電解槽４の排出口３２から排出される。この水溶液は、切替弁の操作により、第１の切替弁５６を経由して濾過器１２に送られる。
濾過器１２では、濾過により塩素系物質等が除去され、濾過器１２の流出孔５５から流出した水溶液は、筐体１８の吐出口２２に送られ、この吐出口２２に接続されたホース等により貯留タンク１６へと送出され、ここに貯留される。
【手続補正４】
【補正対象書類名】特許請求の範囲
【補正対象項目名】全文
【補正方法】変更
【補正の内容】
【特許請求の範囲】
【請求項１】
網状の電極板と、
上記電極板を、連続する４枚を一組とし、且つ所定間隔をおいて８枚、１２枚又は１６枚を互いに向い合せに配置し、これら電極板の並びの一方側に水の注入口を、また他方側に水の排出口をそれぞれ設けた電解槽と、
上記各電極板に電圧を印加し、隣り合う電極板間及び他の電極板を介在させた電極板間に電流を流して電気分解を行わせる電源回路部と、を有し、
上記電源回路部に、上記４枚を一組とする各組に電気を供給する出力回路を、各組毎に個別に設け、
上記電解槽の上記注入口から水を注入し、この水を上記注入口側から上記排出口側に移動させ、この移動する水を上記電極板により電気分解し、水中に水素を含有する水溶液を生成し、これを上記排出口から排出することを特徴とする水素水生成装置。
【請求項２】
上記電源回路部は、各一組の上記電極板の内、他の電極板を介在させた特定の電極板間に交流電圧を印加し、且つ当該特定の電極板以外の電極板には直流電圧を印加し、電気分解を行わせることを特徴とする請求項１に記載の水素水生成装置。
【請求項３】
上記注入口を上記電解槽の下部近傍に設けて水を注入する一方、上記排出口を上記電解槽の上部近傍に設けて、上記注入された水を注入口から排出口方向へ移動させるとともに、下方から上方へと移動させ、この移動する水を上記各電極板により電気分解し、上記排出口から排出することを特徴とする請求項１又は２に記載の水素水生成装置。
【請求項４】
上記排出口と連通する切替弁を設け、上記排出口から排出された水溶液の濾過器を通過する流路と、この濾過器を通過しない流路とを切り替え可能としたことを特徴とする請求項１乃至３の何れかに記載の水素水生成装置。
【請求項５】
上記電解槽の排出口から排出された水溶液を溜める貯留タンクと、この貯留タンク内の水溶液を吸引し、これを上記電解槽へ流通させるポンプと、を有し、
上記ポンプにより、上記電解槽で電気分解された水溶液を上記貯留タンクへ供給する一方、上記貯留タンク内の水溶液を吸引して上記電解槽に送り、これを再度電気分解する循環流路を駆動させ、水溶液中の水素濃度を高めることを特徴とする請求項１乃至４の何れかに記載の水素水生成装置。
【手続補正５】
【補正対象書類名】図面
【補正対象項目名】図１
【補正方法】変更
【補正の内容】
【図１】
2019069413.tif 000001
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
沈殿池の水上部に設置された駆動装置により、複数のフライトが取り付けられた二条の無端チェーンを周回駆動する汚泥掻寄機において、
水面軌道を走行する前記フライトの端部近傍を、下方より支持する上部ガイドレールと、
一端が前記沈殿池の側壁に固定され、他端が前記沈殿池の中央側へ延伸し、前記上部ガイドレールを下方より支持する複数の第１ブラケットと、を備え、
前記二条の無端チェーンは、複数のリンク部材を連結ピンにより締結されてなり、前記リンク部材の連結ピンより下方であって、池幅方向に前記沈殿池の側壁へ向かい突出するプレートを、前記無端チェーンの長手方向に沿って所定間隔にて前記リンク部材の側面に備え、
前記沈殿池の側壁側に、池幅方向に前記沈殿池の中央部側へと延在するガイド部材を有し、
前記ガイド部材は、前記プレートの上方であって前記フライトの底面よりも下方に位置し、前記プレートと所定の間隔にて重なるよう配されることを特徴とする汚泥掻寄機。
【請求項２】
請求項１に記載の汚泥掻寄機において、
前記プレートは、前記リンク部材の下面近傍に配されることを特徴とする汚泥掻寄機。
【請求項３】
請求項１または請求項２に記載の汚泥掻寄機において、
前記プレートは、
前記リンク部材の側面に沿って下端が前記リンク部材の下面よりも下方に位置する第１プレート部と、
前記リンク部材の下面よりも下方に配され前記沈殿池の側壁へ向かい突出する第２プレート部と、を有することを特徴とする汚泥掻寄機。
【請求項４】
請求項１乃至請求項３のうち、いずれか１に記載の汚泥掻寄機において、
前記プレートは、１枚のプレートをプレス加工又は曲げ加工により縦断面略Ｌ字状に形成され、第１プレート部及び第２プレート部をなすことを特徴とする汚泥掻寄機。
【請求項５】
請求項１乃至請求項４のうち、いずれか１に記載の汚泥掻寄機において、
前記ガイド部材は、
上方へ立設する第２ガイド部材と、
前記第２ガイド部材の上方端から池幅方向に前記沈殿池の中央側へと延在する第１ガイド部材と、を有することを特徴とする汚泥掻寄機。
【請求項６】
請求項１乃至請求項５のうち、いずれか１に記載の汚泥掻寄機において、
前記ガイド部材は、１枚のプレートをプレス加工又は曲げ加工により縦断面略Ｌ字状に形成され、第１ガイド部材及び第２ガイド部材をなすことを特徴とする汚泥掻寄機。
【請求項７】
請求項５または請求項６に記載の汚泥掻寄機において、
前記第１ガイド部材は、前記複数のプレートを覆うよう、前記沈殿池の側壁に沿って配されることを特徴とする汚泥掻寄機。
【請求項８】
請求項５乃至請求項７のうち、いずれか１に記載の汚泥掻寄機において、
前記第１ガイド部材の前記沈殿池の側壁に沿う長さは、前記無端チェーンの長手方向であって、前記プレートが設けられた前記リンク部材の間隔より短く、
前記無端チェーンが水面軌道を走行中、１つの前記プレートのみを覆うよう前記第１ガイド部材が配されることを特徴とする汚泥掻寄機。
【請求項９】
請求項５乃至請求項８のうち、いずれか１に記載の汚泥掻寄機において、
前記第２ガイド部材と前記プレートの池幅方向先端部とは、池幅方向に所定の間隔にて配されることを特徴とする汚泥掻寄機。
【請求項１０】
請求項５乃至請求項９のうち、いずれか１に記載の汚泥掻寄機において、
前記第１ガイド部材の池幅方向に沿って前記沈殿池の中央側へと向かう先端部は、水面軌道を走行する無端チェーンを構成する前記リンク部材と所定の間隔にて配されると共に、前記第１ガイド部材の先端部は、前記リンク部材を締結する連結ピンの中心軸の延長線上付近に配されることを特徴とする汚泥掻寄機。
【請求項１１】
請求項５乃至請求項１０のうち、いずれか１に記載の汚泥掻寄機において、
水面軌道付近に配され、前記駆動装置の回転力が伝達される駆動軸の両端部側に設けられる駆動スプロケットホイールと、
水面軌道付近であって、前記駆動軸より下流側に配される中間軸の両端部側に設けられる従動スプロケットホイールと、
前記沈殿池の底面付近であって、前記中間軸より下流側に配されるテール軸の両端部側に設けられる従動スプロケットホイールと、
前記沈殿池の底面付近であって、前記駆動軸より上流側に配されるヘッド軸の両端部側に設けられる従動スプロケットホイールと、を備え、
前記二条の無端チェーンは、上記駆動スプロケットホイール及び上記従動スプロケットホイールにより周回駆動されることを特徴とする汚泥掻寄機。
【請求項１２】
請求項１１に記載の汚泥掻寄機において、
前記第１ガイド部材と前記プレートとの上下方向の間隔は、前記駆動スプロケットホイールの歯高の３／５倍から４／５倍の範囲内に設定されることを特徴とする汚泥掻寄機。
【請求項１３】
請求項１１または請求項１２に記載の汚泥掻寄機において、
前記中間軸の両端部側に設けられる従動スプロケットホイールと前記テール軸の両端部側に設けられる従動スプロケットホイールとの間を走行する前記フライトの端部近傍を、下方より支持する中間ガイドレールと、
一端が前記沈殿池の側壁に固定され、他端が前記沈殿池の中央側へ延伸し、前記中間ガイドレールを下方より支持するする複数の第２ブラケットと、を備えることを特徴とする汚泥掻寄機。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技を実行可能な遊技機であって、
遊技の進行を制御する遊技制御手段と、
前記遊技制御手段から出力される情報にもとづいて演出の実行を制御する演出制御手段と、を備え、
前記遊技制御手段は、遊技機へ電力が供給されてから所定期間が経過した後に所定情報を出力する情報出力手段を含み、
前記演出制御手段は、
前記遊技制御手段から出力された情報を解析することが不可能な特定期間にて特定処理を実行可能な特定処理実行手段と、
遊技機へ電力が供給されてから前記特定期間が経過した後に前記所定情報を入力可能な情報入力手段と、を含み、
前記遊技制御手段は、
前記所定期間において、少なくとも第１処理と第２処理とを実行可能であり、
前記第２処理を実行する前に特殊処理を実行可能であり、
遊技機へ供給される電力が所定の電圧値に低下してから特別期間が経過する前に該電力が前記所定の電圧値よりも高い電圧値に復旧する瞬停状態からの電力復旧がなされたときは、前記第１処理を実行せず、少なくとも前記特定期間が経過するまで前記第２処理を実行する、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を実行可能な遊技機であって、遊技の進行を制御する遊技制御手段と、遊技制御手段から出力される情報にもとづいて演出の実行を制御する演出制御手段と、を備え、遊技制御手段は、遊技機へ電力が供給されてから所定期間が経過した後に所定情報を出力する情報出力手段を含み、演出制御手段は、遊技制御手段から出力された情報を解析することが不可能な特定期間にて特定処理を実行可能な特定処理実行手段と、遊技機へ電力が供給されてから特定期間が経過した後に所定情報を入力可能な情報入力手段と、を含み、遊技制御手段は、所定期間において、少なくとも第１処理と第２処理とを実行可能であり、第２処理を実行する前に特殊処理を実行可能であり、遊技機へ供給される電力が所定の電圧値に低下してから特別期間が経過する前に該電力が所定の電圧値よりも高い電圧値に復旧する瞬停状態からの電力復旧がなされたときは、第１処理を実行せず、少なくとも特定期間が経過するまで第２処理を実行する、
ことを特徴とする。
（手段１）また、他の遊技機として、遊技を実行可能な遊技機であって、遊技の進行を制御する遊技制御手段（例えば、遊技制御用マイクロコンピュータ１００）と、遊技制御手段から出力される情報にもとづいて演出の実行を制御する演出制御手段（例えば、演出制御用マイクロコンピュータ９２ＩＷ１００）とを備え、遊技制御手段は、遊技機へ電力が供給されてから所定期間が経過した後に所定情報（例えば、電断からの復旧を指示する演出制御コマンド、初期化を指示する演出制御コマンド）を出力する情報出力手段（例えば、遊技制御用マイクロコンピュータ１００におけるステップＳ７，Ｓ９を実行する部分）を含み、演出制御手段は、遊技制御手段から出力された情報を解析することが不可能な特定期間（例えば、演出制御用マイクロコンピュータ９２ＩＷ１００におけるタイマ割込処理を実行不可能な期間）にて特定処理（例えば、初期化処理）を実行可能な特定処理実行手段（例えば、演出制御用マイクロコンピュータ９２ＩＷ１００におけるステップＳ７１を実行する部分）と、遊技機へ電力が供給されてから特定期間が経過した後に所定情報を入力可能な情報入力手段（例えば、演出制御用マイクロコンピュータ９２ＩＷ１００における受け渡し用バッファ転送処理（図２０−１０）および解析用バッファ転送処理（ステップ９２ＩＷＳ７１１）を実行する部分）とを含み、所定期間において、少なくとも第１処理（例えば、ハードウェア的な待機処理）と第２処理（例えば、ソフトウェア的な待機処理（ＣＰＵ１０３によるステップ９２ＩＷＳ００９〜９２ＩＷＳ０１２に示す処理））とを実行可能であり、遊技機へ供給される電力が所定の電圧値に低下してから特別期間が経過する前に該電力が所定の電圧値よりも高い電圧値に復旧する瞬停状態からの電力復旧がなされたときには、第１処理を実行せず（例えば、瞬停状態からの電力復旧時にはハードウェア的な待機処理は行われない）、少なくとも特定期間が経過するまで第２処理を実行する（例えば、ＣＰＵ１０３がステップ９２ＩＷＳ００９〜９２ＩＷＳ０１２を実行することにより、演出制御用マイクロコンピュータ９２ＩＷ１００による初期化処理が終了するまでソフトウェア的な待機処理を実行する（図２０−３参照））、
ことを特徴としてもよい。
そのような構成によれば、瞬停状態からの電力復旧が発生したときにも所定期間が経過するまで所定情報を出力しないため、演出制御手段が所定情報を取りこぼすことを防止することができる。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報の可変表示に対応して可変表示を行う装飾情報と、
前記装飾情報とは異なる情報であって、識別情報の可変表示に対応して可変表示を行う対応情報と、
識別情報の可変表示が開始されることに関連して特定演出を実行可能な特定演出実行手段と、を備え、
前記対応情報は、前記特定演出が実行されるときに、前記識別情報の可変表示の開始に対応して変動表示を開始し、
前記装飾情報は、前記特定演出が実行されるときに、前記識別情報の可変表示の開始に対応した可変表示を開始せず、該開始時に該可変表示とは異なる所定動作を行う、遊技機。
【手続補正２】
【補正対象書類名】明細書
【補正対象項目名】０００６
【補正方法】変更
【補正の内容】
【０００６】
（Ａ） 上記目的を達成するため、本発明に係る遊技機は、
識別情報の可変表示（例えば、特別図柄）を行い、遊技者にとって有利な有利状態（例えば、大当り状態）に制御可能な遊技機（例えば、パチンコ遊技機１）であって、
識別情報の可変表示に対応して可変表示を行う装飾情報（例えば、飾り図柄）と、
前記装飾情報とは異なる情報であって、識別情報の可変表示に対応して可変表示を行う対応情報（例えば、小図柄）と、
識別情報の可変表示が開始されることに関連して特定演出（例えば、予告演出）を実行可能な特定演出実行手段（例えば、演出制御用ＣＰＵ１２０）と、を備え、
前記対応情報は、前記特定演出が実行されるときに、前記識別情報の可変表示の開始に対応して変動表示を開始し（例えば、図８に示すように小図柄の可変表示は特別図柄の可変表示に対応して開始される）、
前記装飾情報は、前記特定演出が実行されるときに、前記識別情報の可変表示の開始に対応した可変表示を開始せず、該開始時に該可変表示とは異なる所定動作を行う、（例えば、予告数が２以上の飾り図柄の可変表示は、特別図柄の可変表示から５００ｍｓ遅れて開始されるとともに、変動開始時にキャラクタ画像が動作する）。
（１）  また、他の遊技機として、
識別情報の可変表示（例えば、特別図柄）を行い、遊技者にとって有利な有利状態（例えば、大当り状態）に制御可能な遊技機（例えば、パチンコ遊技機１）であって、
識別情報の可変表示に対応して可変表示を行う装飾情報（例えば、飾り図柄）と、
識別情報の可変表示に対応して可変表示を行うとともに、前記装飾情報とは異なる対応情報（例えば、小図柄）と、
識別情報の可変表示が開始されることに関連して特定演出（例えば、予告演出）を実行可能な特定演出実行手段（例えば、演出制御用ＣＰＵ１２０）とを備え、
前記特定演出が実行されるときに、前記対応情報の可変表示は前記識別情報の可変表示の開始に対応して開始される一方で、前記装飾情報の可変表示は前記識別情報の可変表示の開始に対応して開始されない（例えば、図８に示すように小図柄の可変表示は特別図柄の可変表示に対応して開始される一方で、予告数が２以上の飾り図柄の可変表示は特別図柄の可変表示から５００ｍｓ遅れて開始される）ようにしてもよい。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な特定状態に制御可能な遊技機であって、
第１可変表示を行い表示結果を導出表示する第１可変表示手段と、
第２可変表示を行い表示結果を導出表示する第２可変表示手段と、
未だ開始されていない前記第１可変表示に関する情報を第１保留記憶情報として記憶する第１保留記憶手段と、
未だ開始されていない前記第２可変表示に関する情報を第２保留記憶情報として記憶する第２保留記憶手段と、
未だ開始されていない前記第１可変表示および前記第２可変表示について特定状態に制御されるか否かを判定する先読み判定手段と、を備え、
前記第１可変表示手段と前記第２可変表示手段とが同時に可変表示可能であり、
前記第１可変表示の実行中に前記第２可変表示に基づいて特定状態に制御されるときは、当該第１可変表示について、可変表示を中断した後、当該特定状態の終了後に、中断した前記第１可変表示を再開可能とする中断手段と、
前記第２可変表示に基づいて特定状態に制御されているときに、前記先読み判定手段により未だ開始されていない前記第２可変表示について特定状態に制御されると判定されたことに基づいて、特別演出を実行可能である特別演出実行手段と、
前記先読み判定手段により未だ開始されていない前記第１可変表示について特定状態に制御されると判定されたときに、前記第２可変表示に基づいて特定状態に制御されている場合は、当該特定状態において前記特別演出の実行を制限する特別演出制限手段と、をさらに備え、
前記第１可変表示に基づいて制御される特定状態は、第１特定状態と、当該第１特定状態よりも遊技者にとって不利な第２特定状態と、を含む、遊技機。
【手続補正２】
【補正対象書類名】明細書
【補正対象項目名】０００８
【補正方法】変更
【補正の内容】
【０００８】
（１）  可変表示（特別図柄、飾り図柄、背景図柄の可変表示等）を行い、遊技者にとって有利な特定状態（小当り状態、大当り状態等）に制御可能な遊技機（パチンコ遊技機１等）であって、
第１可変表示（第１特別図柄の可変表示等）を行い表示結果を導出表示する第１可変表示手段（第１特別図柄表示器８ａ等）と、
第２可変表示（第２特別図柄の可変表示等）を行い表示結果を導出表示する第２可変表示手段（第２特別図柄表示器８ｂ等）と、
未だ開始されていない前記第１可変表示に関する情報を第１保留記憶情報として記憶する第１保留記憶手段（ＲＡＭ５５、図２０の第１保留記憶バッファ等）と、
未だ開始されていない前記第２可変表示に関する情報を第２保留記憶情報として記憶する第２保留記憶手段（ＲＡＭ５５、図２０の第２保留記憶バッファ等）と、
未だ開始されていない前記第２可変表示について特定状態に制御されるか否かを判定する先読み判定手段（演出制御用マイクロコンピュータ２００、図３６のステップ１５５ＦＳ５２０等）と、を備え、
前記第１可変表示手段と前記第２可変表示手段とが同時に可変表示可能であり（図８のＳ２６Ａ，Ｓ２６Ｂ等）、
前記第１可変表示の実行中に前記第２可変表示に基づいて特定状態に制御されるときは、当該第１可変表示について、可変表示を中断した後、当該特定状態の終了後に、中断した前記第１可変表示を再開可能とする中断手段（遊技制御用マイクロコンピュータ５６０、図１８のステップ１５５ＦＳ３１４〜ステップ１５５Ｆ３１６等）と、
前記第２可変表示に基づいて特定状態に制御されているときに、前記先読み判定手段により未だ開始されていない前記第２可変表示について特定状態に制御されると判定されたことに基づいて、特別演出（保留連報知演出）を実行可能（図３４（ｃ）等）である特別演出実行手段（演出制御用マイクロコンピュータ２００、図３６のステップ１５５ＦＳ５３４等）と、
前記先読み判定手段により未だ開始されていない前記第１可変表示について特定状態に制御されると判定されたときに（図３７のステップ１５５ＦＳ５２１ＡでＹ等）、前記第２可変表示に基づいて特定状態に制御されている場合は、当該特定状態において前記特別演出の実行を制限する（図３７のように実行しない等）特別演出制限手段（演出制御用マイクロコンピュータ２００、図３７のステップ１５５ＦＳ５２１Ａ等）と、をさらに備え、
前記第１可変表示に基づいて制御される特定状態は、第１特定状態と、当該第１特定状態よりも遊技者にとって不利な第２特定状態と、を含む。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ハイドロゲル形成性高分子を少なくとも含み、１０℃における貯蔵弾性率が５０Ｐａ以下かつ３７℃における貯蔵弾性率が１００Ｐａ以上である、ヒト尿道狭窄治療剤。
【請求項２】
２５℃における貯蔵弾性率が１００Ｐａ以上である請求項１に記載のヒト尿道狭窄治療剤。
【請求項３】
ハイドロゲル形成性高分子が、ポリプロピレンオキサイド、プロピレンオキサイドと他のアルキレンオキサイドとの共重合体、ポリＮ−置換アクリルアミド誘導体、ポリＮ−置換メタアクリルアミド誘導体、Ｎ−置換アクリルアミド誘導体とＮ−置換メタアクリルアミド誘導体との共重合体、ポリビニルメチルエーテル、ポリビニルアルコール部分酢化物からなる群より選ばれる曇点を有する複数のブロックおよび親水性のブロックが結合してなる、請求項１または２に記載の治療剤。
【請求項４】
ヒト尿道狭窄治療剤による治療が、当該治療剤を１０℃以下の温度に冷却して尿道内面に注入し、尿道内面に留置する操作を含む、請求項１〜３のいずれか一項に記載の治療剤。
【請求項５】
尿道内面が、経尿道内視鏡的手技で切開処置した部位を含む、請求項１〜４のいずれか一項に記載の治療剤。
【請求項６】
前記尿道狭窄治療剤が、ヒト細胞を含む、請求項１〜５のいずれか一項に記載の治療剤。
【請求項７】
ヒト細胞が、自家細胞である、請求項６に記載の治療剤。
【請求項８】
ヒト細胞が、ヒト上皮細胞である、請求項６または７に記載の治療剤。
【請求項９】
ヒト上皮細胞が、ヒト粘膜上皮細胞である、請求項８に記載の治療剤。
【請求項１０】
ヒト粘膜上皮細胞が、ヒト口腔粘膜上皮細胞またはヒト尿道粘膜上皮細胞である、請求項９に記載の治療剤。
【請求項１１】
ヒト細胞が、分化細胞であるか、または幹細胞に由来する、請求項６〜１０のいずれか一項に記載の治療剤。
【請求項１２】
幹細胞が、胚性幹細胞、ｉＰＳ細胞または問葉系幹細胞である、請求項１１に記載の治療剤。
【請求項１３】
治療剤が、適用直前にヒト細胞と混合した後に適用されるか、または治療剤と混合し培養した後に適用される、請求項６〜１２のいずれか一項に記載の治療剤。
【請求項１４】
さらにサイトカインを含む、請求項１〜１３のいずれか一項に記載の尿道狭窄治療剤。
【請求項１５】
請求項１〜１４に記載のヒト尿道狭窄治療剤に含有するための細胞培養物の製造方法であって、１０℃における貯蔵弾性率が５０Ｐａ以下かつ３７℃における貯蔵弾性率が１００Ｐａ以上であるハイドロゲル形成性高分子中で培養するステップを含む、前記方法。
【請求項１６】
ハイドロゲル形成性高分子が、ポリプロピレンオキサイド、プロピレンオキサイドと他のアルキレンオキサイドとの共重合体、ポリＮ−置換アクリルアミド誘導体、ポリＮ−置換メタアクリルアミド誘導体、Ｎ−置換アクリルアミド誘導体とＮ−置換メタアクリルアミド誘導体との共重合体、ポリビニルメチルエーテル、ポリビニルアルコール部分酢化物からなる群より選ばれる曇点を有する複数のブロックおよび親水性のブロックが結合してなる、請求項１５に記載の方法。
【請求項１７】
細胞培養物が、ヒト上皮細胞を含む、請求項１５または１６に記載の方法。
【請求項１８】
ヒト上皮細胞が、ヒト粘膜上皮細胞である、請求項１５〜１７のいずれか一項に記載の方法。
【請求項１９】
ヒト細胞が、分化細胞であるか、または幹細胞に由来する、請求項１５〜１８のいずれか一項に記載の方法。
【請求項２０】
培養が、自己血清を含むハイドロゲル形成性高分子中で培養する、請求項１９
に記載の方法。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御され、
前記時短状態が終了した後の前記通常遊技状態において、前記時短状態中に前記上限数まで記憶された前記第２図柄の可変表示においては専用の変動演出が実行される
ことを特徴とする遊技機。
【手続補正２】
【補正対象書類名】明細書
【補正対象項目名】０００７
【補正方法】変更
【補正の内容】
【０００７】
上記課題を解決するために、本願発明は、
始動口に入賞すると第１図柄の可変表示が実行可能であり、
可変始動口に入賞すると第２図柄の可変表示が実行可能であり、
前記可変始動口を開放状態と閉鎖状態とに制御する可変始動口開閉手段と、
遊技者に利益を付与する大当り遊技を実行する利益実行手段と、
前記大当り遊技への移行契機となる小当り遊技を実行する小利益実行手段と、
可変表示に関する情報を、上限数を限度に保留記憶として記憶する保留記憶手段と、
前記可変始動口開閉手段により前記可変始動口を前記開放状態とする時間が長くなる時短状態へ前記大当り遊技の終了後に制御可能な遊技状態制御手段と
を備え、
前記第１図柄よりも前記第２図柄の方が前記大当り遊技を実行する割合が高くなっており、
前記遊技状態制御手段により前記時短状態に制御されている可変表示において前記第２図柄の前記保留記憶が前記上限数となるように前記保留記憶を貯めさせる保留促進演出が実行され、
前記時短状態が終了した後の通常遊技状態において、前記上限数まで記憶された前記第２図柄の可変表示において特定表示結果が導出されたときに前記小当り遊技が付与され、該小当り遊技を実行すると略１００％の確率で前記大当り遊技へ移行するようになっており、該大当り遊技後には再び前記時短状態に制御され、
前記時短状態が終了した後の前記通常遊技状態において、前記時短状態中に前記上限数まで記憶された前記第２図柄の可変表示においては専用の変動演出が実行される
ことを特徴とする。
また、上記発明とは別に以下の手段を採用してもよい。
手段１：通常遊技状態から有利遊技状態への移行制御が実行可能とされる遊技機において、
可動片を有し、該可動片が動作したときに遊技媒体を受け入れ可能な特定始動口と、
前記特定始動口に遊技媒体が受け入れられたことに基づいて乱数を取得する乱数取得手段と、
前記乱数取得手段により取得される乱数に基づいて特定抽選を行う抽選手段と、
前記乱数取得手段により乱数が取得された場合、該取得された乱数に応じた前記特定抽選を特定の保留上限数まで待機させて保留状態にする制御を実行可能な遊技保留手段と、
前記抽選手段による特定抽選にて当りが得られた場合、遊技者に特典が付与される特典遊技状態が発生するように遊技を進行させる制御を実行可能な特別遊技進行制御手段と、
前記有利遊技状態において、前記特定始動口への遊技媒体の受け入れを前記通常遊技状態にあるときよりも容易化させる制御態様をもって前記可動片の動作にかかる制御を行う有利遊技制御手段と、
前記特定の保留上限数分の前記特定抽選が保留状態にされているなかで前記有利遊技状態への移行制御が行われて、且つそれら保留状態にされている特定抽選の全てで当りが得られなかった場合、前記特定の保留上限数分の前記特定抽選の消化に要する時間内に前記可動片の動作が行われる回数の期待値が「１」未満となるように制御する時短無効化制御手段と
を備えることを特徴とする遊技機。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
通常遊技にて遊技者に有利な特別遊技の実行可否を判定する当否判定手段と、
特別遊技を実行する特別遊技制御手段と、
遊技者が操作可能な操作入力手段と、
演出的な内容が表示される演出表示装置と、
楽曲を出力可能なスピーカと、を備え、
遊技者による操作入力手段の操作に基づき、スピーカから出力される楽曲を選択可能であり、
特別遊技の実行期間として、開始デモが実行される第１期間、開始デモの実行が終了してから終了デモの実行が開始されるまでの第２期間、終了デモが実行される第３期間を含み、
特別遊技の実行中に所定の楽曲が前記第２期間又は前記第３期間にて出力される場合、当該所定の楽曲は、当該特別遊技終了後の通常遊技でも出力されるよう構成される弾球遊技機。
【手続補正２】
【補正対象書類名】明細書
【補正対象項目名】０００７
【補正方法】変更
【補正の内容】
【０００７】
上記課題を解決するために、本発明のある態様の弾球遊技機は、通常遊技にて遊技者に有利な特別遊技の実行可否を判定する当否判定手段と、特別遊技を実行する特別遊技制御手段と、遊技者が操作可能な操作入力手段と、演出的な内容が表示される演出表示装置と、楽曲を出力可能なスピーカと、を備え、遊技者による操作入力手段の操作に基づき、スピーカから出力される楽曲を選択可能であり、特別遊技の実行期間として、開始デモが実行される第１期間、開始デモの実行が終了してから終了デモの実行が開始されるまでの第２期間、終了デモが実行される第３期間を含み、特別遊技の実行中に所定の楽曲が前記第２期間又は前記第３期間にて出力される場合、当該所定の楽曲は、当該特別遊技終了後の通常遊技でも出力されるよう構成される。
＜付記＞
尚、本発明のある態様とは異なる別態様について以下に列記しておくが、これらには何ら限定されることなく実施することが可能である。
本発明のある態様とは異なる別態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための抽選値に基づいて当否判定を実行する当否判定手段と、始動入賞口への入球を契機として図柄が変動表示される図柄表示装置と、始動入賞口へ新たな入球があったときにそれ以前の入球に対応する図柄変動が表示されている場合、所定個数を上限に新たな入球に対応する抽選値をその図柄変動の表示開始まで保留として記憶する保留制御手段と、図柄の変動表示過程が定められた複数種類の変動パターンからいずれかを選択する変動パターン決定手段と、演出的な内容が表示される演出表示装置と、演出表示装置に表示させる演出的な内容を決定する演出決定手段と、演出決定手段により決定された演出的な内容を演出表示装置に表示させる演出表示制御手段と、現在時刻の情報を出力する時計手段と、を備える。演出決定手段は、時計手段により出力される現在時刻が所定時刻となったことを契機とする所定タイミングに開始する時計同調演出を、図柄変動の変動期間とは非同期の期間である同調演出期間にて演出表示装置に表示させる決定をするとともに、所定の利益付与が予定されている状況下では、所定の利益付与が予定されていない状況下でなされる通常の時計同調演出の演出内容とは部分的に外観上の差異がある特殊時計同調演出を表示させる決定をすることができ、時計同調演出を遊技状態にかかわらず実行可能であって、通常遊技中に特殊時計同調演出を実行する場合に遊技者に示唆する利益種別と特別遊技中に特殊時計同調演出を実行する場合に遊技者に示唆する利益種別とが異なり得るよう構成される。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうるものであり、
さらに、前記前方発光装飾基板の表面部と前記後方発光装飾基板の裏面部にも、前記反射向上領域を有する
ことを特徴とする遊技機。
【手続補正２】
【補正対象書類名】明細書
【補正対象項目名】０００４
【補正方法】変更
【補正の内容】
【０００４】
しかしながら、従来と同等の構成では、遊技者の興趣を低下させてしまう虞があった。
【手続補正３】
【補正対象書類名】明細書
【補正対象項目名】０００５
【補正方法】変更
【補正の内容】
【０００５】
そこで、本発明は、興趣の低下を抑制させることが可能な遊技機を提供することを目的とするものである。
【手続補正４】
【補正対象書類名】明細書
【補正対象項目名】０００６
【補正方法】変更
【補正の内容】
【０００６】
本発明は、
所定条件の成立に基づいて抽選を行い、該抽選の結果に基づいて利益を付与する遊技機であって、
前記抽選の結果に関する演出実行中に発光可能な発光部が実装されるとともに、反射効果を向上させうる白色の反射向上領域が基板面に設けられた発光装飾基板を備え、
前記発光装飾基板として、前方発光装飾基板と、該前方発光装飾基板よりも後方に配置される後方発光装飾基板とを有し、
前記反射向上領域は、少なくとも前記後方発光装飾基板の面部のうちの前記発光部が実装される表面部と、該表面部に相対する面であって前記前方発光装飾基板の面部のうちの前記発光部が実装されない裏面部とに設けられ、
さらに、前記前方発光装飾基板の裏面部側には、透光性を有する透光部材が設けられ、
前記透光部材は、前記前方発光装飾基板の裏面部側に該前方発光装飾基板に対して固定されるものであり、さらに、前記前方発光装飾基板の裏面部の縁よりも外側に延出する延出透光部位を有しており、
該延出透光部位は、前記後方発光装飾基板の前記発光部からの光を透光させうるように、前記後方発光装飾基板の前方に位置しうるものであり、
さらに、前記前方発光装飾基板の表面部と前記後方発光装飾基板の裏面部にも、前記反射向上領域を有する
ことを特徴とする。
【手続補正５】
【補正対象書類名】明細書
【補正対象項目名】０００７
【補正方法】変更
【補正の内容】
【０００７】
また、本発明とは別の発明として以下の手段を参考的に開示する。  
手段１：遊技機において、
「遊技者の操作によって遊技媒体が打込まれる遊技領域と、
該遊技領域の後端を区画している平板状の遊技パネルと、
該遊技パネルの後方で正面視前記遊技領域内の略中央の位置に遊技者側から視認可能に前記遊技パネルの後側に取付けられており、演出画像を表示可能なメイン表示手段と、
該メイン表示手段よりも前方に配置され、前記遊技領域内に遊技媒体が打込まれることで変化する遊技状態に応じて、正面視前記メイン表示手段の外側の退避位置下と正面視前記メイン表示手段の内側で正面視前記遊技領域内の左右方向略中央の中央位置下との間で前記メイン表示手段の下辺に沿って左右方向に移動可能、且つ、左右方向に縮小拡大可能とされている下装飾部材と、
前記メイン表示手段よりも前方に配置され、前記遊技状態に応じて、正面視前記メイン表示手段の外側の退避位置上と正面視前記メイン表示手段の内側で正面視前記遊技領域内の左右方向略中央の中央位置上との間で前記メイン表示手段の上辺に沿って左右方向に移動可能、且つ、左右方向に縮小拡大可能とされている上装飾部材と
を具備している」ものであることを特徴とする。
【手続補正６】
【補正対象書類名】明細書
【補正対象項目名】００９０
【補正方法】変更
【補正の内容】
【００９０】
このように、本発明によれば、興趣の低下を抑制させることが可能な遊技機を提供することができる。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
通常遊技にて遊技者に有利な特別遊技の実行可否を判定する当否判定手段と、
特別遊技を実行する特別遊技制御手段と、
遊技者が操作可能な操作入力手段と、
演出的な内容が表示される演出表示装置と、
楽曲を出力可能なスピーカと、を備え、
遊技者による操作入力手段の操作に基づき、スピーカから出力される楽曲を選択可能であり、
特別遊技の種類として、第１特別遊技と、第１特別遊技よりも有利度合いが高い第２特別遊技を有し、
第２特別遊技の実行中においては、遊技者による操作入力手段の操作に基づいた楽曲の選択が可能であるが、第１特別遊技の実行中においては、遊技者による操作入力手段の操作に基づいた楽曲の選択が不可能であるよう構成される弾球遊技機。
【手続補正２】
【補正対象書類名】明細書
【補正対象項目名】０００７
【補正方法】変更
【補正の内容】
【０００７】
上記課題を解決するために、本発明のある態様の弾球遊技機は、通常遊技にて遊技者に有利な特別遊技の実行可否を判定する当否判定手段と、特別遊技を実行する特別遊技制御手段と、遊技者が操作可能な操作入力手段と、演出的な内容が表示される演出表示装置と、楽曲を出力可能なスピーカと、を備え、遊技者による操作入力手段の操作に基づき、スピーカから出力される楽曲を選択可能であり、特別遊技の種類として、第１特別遊技と、第１特別遊技よりも有利度合いが高い第２特別遊技を有し、第２特別遊技の実行中においては、遊技者による操作入力手段の操作に基づいた楽曲の選択が可能であるが、第１特別遊技の実行中においては、遊技者による操作入力手段の操作に基づいた楽曲の選択が不可能であるよう構成される。
＜付記＞
尚、本発明のある態様とは異なる別態様について以下に列記しておくが、これらには何ら限定されることなく実施することが可能である。
本発明のある態様とは異なる別態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための抽選値に基づいて当否判定を実行する当否判定手段と、始動入賞口への入球を契機として図柄が変動表示される図柄表示装置と、始動入賞口へ新たな入球があったときにそれ以前の入球に対応する図柄変動が表示されている場合、所定個数を上限に新たな入球に対応する抽選値をその図柄変動の表示開始まで保留として記憶する保留制御手段と、図柄の変動表示過程が定められた複数種類の変動パターンからいずれかを選択する変動パターン決定手段と、演出的な内容が表示される演出表示装置と、演出表示装置に表示させる演出的な内容を決定する演出決定手段と、演出決定手段により決定された演出的な内容を演出表示装置に表示させる演出表示制御手段と、現在時刻の情報を出力する時計手段と、を備える。演出決定手段は、時計手段により出力される現在時刻が所定時刻となったことを契機とする所定タイミングに開始する時計同調演出を、図柄変動の変動期間とは非同期の期間である同調演出期間にて演出表示装置に表示させる決定をし、時計同調演出は、複数の遊技台で並行して実行する複数台同期演出を含む。演出決定手段は、時計同調演出の実行中は、特別遊技への移行期待度を示唆する所定の予告演出の実行確率を時計同調演出の実行中以外の場合より低い確率へ切り替える。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
前扉を備えた遊技機であって、
前記前扉に設けられる上皿と、
前記前扉に設けられ、前記上皿から排出された遊技球が流入する流入部と、
前記前扉に設けられる所定の演出部材と、を備え、
前記前扉には、前記演出部材が配置される所定空間が設けられており
前記流入部には、所定形状のカバー部が設けられ、
前記演出部材は、前記カバー部を取り外すことなく前記所定空間から取り外すことが可能であり、
前記所定空間から前記演出部材が取り外された状態にて、外部から前記所定空間を通じて前記カバー部および前記流入部を視認できるように構成されてなる
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている。（例えば、特許文献１）
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
しかしながら、近年の遊技機においては、遊技球の貯留構成をより好適なものにすることが求められている。
【手続補正６】
【補正対象書類名】明細書
【補正対象項目名】０００８
【補正方法】変更
【補正の内容】
【０００８】
本発明は、より好適な遊技機を提案するものである。
【手続補正７】
【補正対象書類名】明細書
【補正対象項目名】０００９
【補正方法】変更
【補正の内容】
【０００９】
本発明は、
前扉を備えた遊技機であって、
前記前扉に設けられる上皿と、
前記前扉に設けられ、前記上皿から排出された遊技球が流入する流入部（例えば下皿本体３２５）と、
前記前扉に設けられる所定の演出部材と、を備え、
前記前扉には、前記演出部材が配置される所定空間（例えば取付空間３２６ｊ）が設けられており
前記流入部には、所定形状のカバー部（例えば下皿カバー３４０）が設けられ、
前記演出部材は、前記カバー部を取り外すことなく前記所定空間から取り外すことが可能であり、
前記所定空間から前記演出部材が取り外された状態にて、外部から前記所定空間を通じて前記カバー部および前記流入部を視認できるように構成されてなる（例えば、段落０２２５〜０２６４の記載および図６、図４１〜図４７等を参照）
ことを特徴とする。
また、本発明とは別の発明として、以下の手段を参考的に開示する。
手段１：遊技機において、
「遊技媒体が打込まれる遊技領域と、
該遊技領域内の所定位置に配置されており、遊技媒体の受入れにより所定数の遊技媒体が払出されると共に特別抽選結果の抽選が行われる特定受入口と、
該特定受入口とは前記遊技領域内における異なる位置で、左右方向へ遊技媒体の外形の４倍〜１０倍長く開口しており、遊技媒体の受入れにより前記所定数よりも多く遊技媒体が払出される特別受入口と、
該特別受入口を開閉可能に閉鎖しており、前記特定受入口への遊技媒体の受入れにより抽選された特別抽選結果に応じて前記特別受入口を開いて遊技媒体の受入れを可能とする特別受入口扉と、
該特別受入口扉により前記特別受入口が開いている時に上方からの遊技媒体の受入れを部分的に阻害するように前記遊技領域内に突出しており、前記特別受入口の上辺側における左右方向一方側の端部から他方側へ少なくとも遊技媒体の外形の２倍の距離の位置を下端として上方へ所定距離垂直に延びている立壁部、及び該立壁部から前記特別受入口の他端側の端部よりも外方へ左右方向に延びている少なくとも一つの横壁部、を有している阻害部材と
を具備している」ものであることを特徴とする。
【手続補正８】
【補正対象書類名】明細書
【補正対象項目名】００６４
【補正方法】変更
【補正の内容】
【００６４】
本発明によれば、より好適な遊技機を提供することができる。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
始動条件が成立した後、開始条件が成立したことに基づいて抽選を行う抽選手段と、
前記開始条件の成立に基づいて表示手段の変動制御を開始して前記抽選結果に応じた表示結果を導出表示する表示制御手段と、
前記開始条件が成立し、前記抽選手段による前記抽選に当選した前記変動制御が開始されたことに応じて遊技者に有利な特別有利状態を付与し得る有利付与手段と、を備え、
前記有利付与手段によって遊技者に付与されえる前記特別有利状態は、前記抽選結果が大当りである場合に付与可能とされている遊技価値よりも少ない遊技価値が付与されえる状態であることを特徴とする遊技機。
【手続補正２】
【補正対象書類名】明細書
【補正対象項目名】０００５
【補正方法】変更
【補正の内容】
【０００５】
上記目的を解決するために、本発明の遊技機は、始動条件が成立した後、開始条件が成立したことに基づいて抽選を行う抽選手段と、
前記開始条件の成立に基づいて表示手段の変動制御を開始して前記抽選結果に応じた表示結果を導出表示する表示制御手段と、
前記開始条件が成立し、前記抽選手段による前記抽選に当選した前記変動制御が開始されたことに応じて遊技者に有利な特別有利状態を付与し得る有利付与手段と、を備え、
前記有利付与手段によって遊技者に付与されえる前記特別有利状態は、前記抽選結果が大当りである場合に付与可能とされている遊技価値よりも少ない遊技価値が付与されえる状態である特徴とする。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
遊技領域内の入賞領域への遊技媒体の入賞に基づき抽選遊技を実行可能な抽選遊技実行手段と、
前記抽選遊技が特定結果を導出した場合に遊技媒体を払出可能な特定遊技を実行可能な特定遊技実行手段と、
遊技に関する演出を制御可能な演出制御手段と、
遊技者による操作手段の操作を受付可能な操作受付手段と、を備え、
前記演出制御手段は、
前記特定遊技の開始に応じて実行される初期演出を決定する初期演出決定手段と、
前記初期演出決定手段の決定に基づき決定された初期演出を実行可能な初期演出実行手段と、
前記初期演出の後に行われる演出を後続演出として、実行する演出を複数の演出から遊技者の操作に応じて実行可能な後続演出実行手段と、を有し、
前記後続演出実行手段は、
遊技者の操作に応じて、実行中であった前記初期演出を停止して、実行中であった前記初期演出と異なる前記後続演出を新たに実行する第１実行パターンと、実行中であった前記初期演出を停止することなく継続して、前記後続演出として実行する第２実行パターンとのいずれかの実行パターンで前記後続演出を実行することを特徴とする遊技機。
【手続補正２】
【補正対象書類名】明細書
【補正対象項目名】０００６
【補正方法】変更
【補正の内容】
【０００６】
本発明の代表的な遊技機の一形態では、遊技領域内の入賞領域への遊技媒体の入賞に基づき抽選遊技を実行可能な抽選遊技実行手段と、前記抽選遊技が特定結果を導出した場合に遊技媒体を払出可能な特定遊技を実行可能な特定遊技実行手段と、遊技に関する演出を制御可能な演出制御手段と、遊技者による操作手段の操作を受付可能な操作受付手段と、を備え、前記演出制御手段は、前記特定遊技の開始に応じて実行される初期演出を決定する初期演出決定手段と、前記初期演出決定手段の決定に基づき決定された初期演出を実行可能な初期演出実行手段と、前記初期演出の後に行われる演出を後続演出として、実行する演出を複数の演出から遊技者の操作に応じて実行可能な後続演出実行手段と、を有し、前記後続演出実行手段は、遊技者の操作に応じて、実行中であった前記初期演出を停止して、実行中であった前記初期演出と異なる前記後続演出を新たに実行する第１実行パターンと、実行中であった前記初期演出を停止することなく継続して、前記後続演出として実行する第２実行パターンとのいずれかの実行パターンで前記後続演出を実行することを特徴とする。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
駆動手段と、その駆動手段の駆動力を伝達する伝達手段と、その伝達手段を介して伝達される駆動力により回転動作可能であって、外周面に複数の図形が描かれる動作手段と、を少なくとも備え、前記図形を遊技者が見ることができる態様で構成される遊技機において、
前記伝達手段は、前記駆動手段の正方向への駆動力を前記動作手段へ伝達する正方向伝達手段と、
前記駆動手段の逆方向への駆動力を所定部材へ伝達する逆方向伝達手段と、
前記駆動手段が正方向への駆動力を発生した場合にはその駆動手段の駆動力の前記正方向伝達手段への伝達を許容する一方で前記逆方向伝達手段への伝達を遮断し、前記所定部材を停止させ、前記駆動手段が逆方向への駆動力を発生した場合にはその駆動手段の駆動力の前記正方向伝達手段への伝達を遮断する一方で前記逆方向伝達手段への伝達を許容し、前記動作手段を停止させる切換手段と、を備えることを特徴とする遊技機。
【手続補正２】
【補正対象書類名】明細書
【補正対象項目名】０００２
【補正方法】変更
【補正の内容】
【０００２】
パチンコ機等の遊技機において、外周面に複数の図形が描かれた動作手段を備え、その動作手段を回転させて、動作手段の外周面に描かれた図形を遊技者に視認させる遊技機が知られている（特許文献１）。
【手続補正３】
【補正対象書類名】明細書
【補正対象項目名】０００４
【補正方法】変更
【補正の内容】
【０００４】
しかしながら、上述した従来の遊技機では、動作手段による演出の変化が乏しく、演出が単純化するという問題点があった。
【手続補正４】
【補正対象書類名】明細書
【補正対象項目名】０００５
【補正方法】変更
【補正の内容】
【０００５】
本発明は、上記例示した問題点を解決するためになされたものであり、動作手段の演出を複雑化することができる遊技機を提供することを目的とする。
【手続補正５】
【補正対象書類名】明細書
【補正対象項目名】０００６
【補正方法】変更
【補正の内容】
【０００６】
この目的を達成するために請求項１記載の遊技機は、駆動手段と、その駆動手段の駆動力を伝達する伝達手段と、その伝達手段を介して伝達される駆動力により回転動作可能であって、外周面に複数の図形が描かれる動作手段と、を少なくとも備え、前記図形を遊技者が見ることができる態様で構成される遊技機であって、前記伝達手段は、前記駆動手段の正方向への駆動力を前記動作手段へ伝達する正方向伝達手段と、前記駆動手段の逆方向への駆動力を所定部材へ伝達する逆方向伝達手段と、前記駆動手段が正方向への駆動力を発生した場合にはその駆動手段の駆動力の前記正方向伝達手段への伝達を許容する一方で前記逆方向伝達手段への伝達を遮断し、前記所定部材を停止させ、前記駆動手段が逆方向への駆動力を発生した場合にはその駆動手段の駆動力の前記正方向伝達手段への伝達を遮断する一方で前記逆方向伝達手段への伝達を許容し、前記動作手段を停止させる切換手段と、を備える。
【手続補正６】
【補正対象書類名】明細書
【補正対象項目名】０００９
【補正方法】変更
【補正の内容】
【０００９】
請求項１記載の遊技機によれば、動作手段の演出を複雑化できる。